(57)【要約】【課題】現在の照明器具を使用しながら容易にランプを増設できる蛍光ランプ照明装置を提供する。【解決手段】連接用ソケット付蛍光ランプ照明装置１は、本体部１０とランプ保持部２０と環状蛍光ランプ３０とから構成される。本体部１０にはその一端の外側に、外部に設けられたソケットの受金に螺合する白熱電球型の口金１１が設けられている。本体部１０の他端には内部に向けて、この連接用ソケット付蛍光ランプ照明装置１に連接される電球型蛍光ランプ、あるいは連接用ソケット付蛍光ランプ照明装置の口金と螺合する受金を有する連接用ソケット１３が設けられている。連接用ソケット１３に電球型蛍光ランプを接続するか、1個以上の連接用ソケット付蛍光ランプ照明装置１を連接して接続することにより、容易に照明装置の照度を上げることができる。【選択図】図１
2007134074.tif 000002
【特許請求の範囲】
【請求項１】
蛍光ランプを備えた照明装置であって、
外部の電気エネルギー供給手段との接続固定手段を有する本体部と、
前記本体部の前記接続固定手段の設けられた端部とは反対側の端部に対して、干渉しない状態で配置されている前記蛍光ランプと、
前記本体部に固定されていて前記蛍光ランプを保持するランプ保持部と、
前記蛍光ランプに点灯のための電流を供給するランプ点灯回路とを有し、
前記本体部の前記接続固定手段の設けられた端部と反対側の端部に、電球型口金に対応する連接用ソケットが、開口部を外側に向けて電気エネルギーが供給可能の状態で設けられていることを特徴とする連接用ソケット付蛍光ランプ照明装置。
【請求項２】
前記蛍光ランプが前記本体部を囲んで配置された環状蛍光ランプである、請求項１に記載の連接用ソケット付蛍光ランプ照明装置。
【請求項３】
前記蛍光ランプが前記本体部を挟んで配置された直管蛍光ランプである、請求項１に記載の連接用ソケット付蛍光ランプ照明装置。
【請求項４】
前記外部の電気エネルギー供給手段との接続固定手段は電球型口金である、請求項１から請求項３の何れか１項に記載の連接用ソケット付蛍光ランプ照明装置。
【請求項５】
前記外部の電気エネルギー供給手段との接続固定手段はシーリングローゼットである、請求項１から請求項３の何れか１項に記載の連接用ソケット付蛍光ランプ照明装置。
【発明の詳細な説明】
【技術分野】
【０００１】
本発明は連設用ソケット付蛍光ランプ照明装置に関し、連設用ソケットを用いて蛍光ランプが増設できる連設用ソケット付蛍光ランプ照明装置に関する。
【背景技術】
【０００２】
蛍光ランプ照明装置の天井取り付けにおいては、従来から直付け以外ではシーリングローゼットが多く用いられてきた。しかし最近白熱電球型の口金を有し外部にランプ点灯回路を必要としない電球型蛍光ランプが普及してきたことから、天井に白熱電球型の口金に対応する受金を有するソケット部材を設け、このソケット部材に白熱電球型の口金を有する電球型蛍光ランプを取り付けることも行なわれるようになってきた。さらに環状蛍光ランプの保持部材に白熱電球型の口金を設けて環状蛍光ランプを天井のソケット部材に直接取り付けることも行なわれるようになってきている。特許文献１には天井に直付けできる電球型照明装置が開示されている。
【特許文献１】特開平１０−３１２７０８号公報（段落０００８）
【発明の開示】
【発明が解決しようとする課題】
【０００３】
照明装置の電気エネルギーがソケット部の受金からランプの口金を経由してランプに供給されている場合、明るさを増やそうとすると、ランプ自体を出力の高いランプに取り替えるか、ランプの数を増やすしか方法がない。しかし、出力の高いランプに取り替えると今までのランプが無駄になってしまってもったいない。また、ランプの数を増やすには新たな取り付け場所も必要となり、電源も増やさなければならないので工事が必要となり費用も大きくなるという問題があった。そのため、今までは電球口金形ランプにおいても容易に明るさを増やすことができなかった。
【０００４】
本発明の目的は、現在の照明器具を使用しながら容易にランプを増設できる蛍光ランプ照明装置を提供することにある。
【課題を解決するための手段】
【０００５】
本発明の連設用ソケット付蛍光ランプ照明装置は、
蛍光ランプを備えた照明装置であって、外部の電気エネルギー供給手段との接続固定手段を有する本体部と、本体部の接続固定手段の設けられた端部とは反対側の端部に対して、干渉しない状態で配置されている蛍光ランプと、本体部に固定されていて蛍光ランプを保持するランプ保持部と、蛍光ランプに点灯のための電流を供給するランプ点灯回路とを有し、本体部の接続固定手段の設けられた端部と反対側の端部に、電球型口金に対応する連接用ソケットが、開口部を外側に向けて電気エネルギーが供給可能の状態で設けられていることを特徴とする。
【０００６】
蛍光ランプが本体部を囲んで配置された環状蛍光ランプであってもよく、蛍光ランプが本体部を挟んで配置された直管蛍光ランプであってもよい。外部の電気エネルギー供給手段との接続固定手段は電球型口金であってもよく、外部の電気エネルギー供給手段との接続固定手段はシーリングローゼットであってもよい。
【０００７】
本発明の連設用ソケット付蛍光ランプ照明装置は、本体部の接続固定手段の設けられた端部と反対側の端部に、電球型口金に対応する連接用ソケットが、開口部を外側に向けて電気エネルギーが供給可能の状態で設けられている。その連接用ソケットを介して電球型口金を備えた蛍光ランプや連設用ソケット付蛍光ランプ照明装置を直接取り付けることによって蛍光ランプを増設することができる。連設用ソケット付蛍光ランプ照明装置を増設した場合にはその連接用ソケットを用いてさらに１個以上の増設が可能である。最も下側の連接用ソケット付蛍光ランプ照明装置の連接用ソケットに、電球型蛍光ランプの電球型口金を係合させて、１個の電球型蛍光ランプを増設することもでき、白熱電球の電球型口金を係合させて１個の白熱電球を増設することもできる。
【発明の効果】
【０００８】
本発明の連設用ソケット付蛍光ランプ照明装置では、蛍光ランプ照明装置に連設用ソケットが設けられているので、白熱電球型の口金を有する電球型蛍光ランプを直接1個増設することができる。また、本発明の連設用ソケット付蛍光ランプ照明装置であれば複数連接することができるので、無駄なく低コストで簡単に照明を増設できるという効果がある。
【発明を実施するための最良の形態】
【０００９】
本発明の白熱電球型の口金を有する連設用ソケット付蛍光ランプ照明装置を最初に設置しておけば、白熱電球型の口金を有する電球型蛍光ランプを直接1個増設することができる。また、本発明の接続固定手段が白熱電球型の口金である連設用ソケット付蛍光ランプ照明装置であれば複数連接することができる。シーリングローゼット型の連設用ソケット付蛍光ランプ照明装置を最初に設置した場合でも、白熱電球型の口金を有する電球型蛍光ランプを直接1個増設することができる。また、接続固定手段が白熱電球型の口金である連設用ソケット付蛍光ランプ照明装置であれば複数連接することができる。このように、本発明は設置後でも容易に照明を増設できることを特徴とする。
【００１０】
次に、本発明の実施の形態について図面を参照して説明する。図１は本発明の第１の実施の形態の連接用ソケット付蛍光ランプ照明装置の模式的斜視図であり、図２は本発明の第１の実施の形態の連接用ソケット付蛍光ランプ照明装置の模式的断面図である。
【００１１】
連接用ソケット付蛍光ランプ照明装置１は、本体部１０と、ランプ把持部２１を有するランプ保持部２０と、環状蛍光ランプ３０とから構成される。本体部１０にはその一端の外側に、外部に設けられたソケットの受金に螺合する白熱電球型の口金１１が設けられている。本体部１０の他端には内部に向けて、この連接用ソケット付蛍光ランプ照明装置１に連接される電球型蛍光ランプ、あるいは連接用ソケット付蛍光ランプ照明装置の口金と螺合する受金１４を有する連接用ソケット１３が設けられており、口金１１から入力した電気エネルギーが供給される。本体部１０の内部には口金１１を経由して入力した電気エネルギーを整流・高周波変換して環状蛍光ランプ３０に出力するためのランプ点灯回路１２が設けられ、入力した電気エネルギーは上述のように連接用ソケット１３にも供給されている。ランプ保持部２０は一端が本体部１０に固定され、他端のランプ把持部２１で環状蛍光ランプ３０を把持するとともに内部の配線を経由してランプ点灯回路１２からの電流を環状蛍光ランプ３０に供給している。
【００１２】
連接用ソケット付蛍光ランプ照明装置１は、天井などに設けられた外部の電気エネルギー供給手段である白熱電球型の受金にその口金１１が螺合することによって外部に固定され電気エネルギーが印加されて蛍光ランプ照明装置として機能する。
【００１３】
照明装置の明るさを増加させたいときには、連接用ソケット付蛍光ランプ照明装置１の連接用ソケット１３に別の照明装置の白熱電球型の口金を螺合させれば容易に照明装置の出力を増加させることができる。
【００１４】
図３は、図１の連接用ソケット付蛍光ランプ照明装置に電球型蛍光ランプを取り付けた状態の模式的斜視図である。このように連接用ソケット付蛍光ランプ照明装置１の連接用ソケット１３に電球型蛍光ランプ４０の白熱電球型の口金を螺合させれば容易に照明装置の出力を増加させることができる。ここでは電球型蛍光ランプを増設することにしているが、白熱電球を増設してもよい。白熱電球を増設することにより、照明装置の演色性を変化させることができるという効果がある。
【００１５】
図４は、図１の連接用ソケット付蛍光ランプ照明装置にさらに連接用ソケット付蛍光ランプ照明装置を取り付けた状態の模式的斜視図である。このように連接用ソケット付蛍光ランプ照明装置１の連接用ソケット１３に連接用ソケット付蛍光ランプ照明装置１の白熱電球型の口金１１を螺合させれば容易に照明装置の出力を増加させることができる。
【００１６】
図４では、１個の連接用ソケット付蛍光ランプ照明装置１を増設した状態を示しているが、この下にさらに連接用ソケット付蛍光ランプ照明装置１を１個以上増設することもできる。さらに一番下側の連接用ソケット付蛍光ランプ照明装置１に電球型蛍光ランプ４０や白熱電球を増設することも可能である。
【００１７】
図５は、本発明の第１の実施の形態の応用例の連接用ソケット付蛍光ランプ照明装置の模式的斜視図である。図５に示す第１の実施の形態の応用例では、第１の実施の形態で使用されていた環状蛍光ランプ３０が直管蛍光ランプ５０に変更され、それに伴ってランプ把持部２６を含むランプ保持部２５の形状が変更された以外は第１の実施の形態と同じなので、同じ構成と機能については同じ符号を用いて説明を省略する。第１の実施の形態では本体部１０を取り囲んで設けられていた環状蛍光ランプ３０に代わって、応用例では２本の直管蛍光ランプ５０が本体部１０を挟んで設けられている。応用例はこれに限定されるものではなく、本体部１０の下面の連接ソケット１３への増設ランプや蛍光ランプ照明器具の取付けが妨げられない構成であればよく、例えば蛍光ランプが２段に設けられていてもよい。
【００１８】
次に、本発明の第２の実施の形態について図面を参照して説明する。図６は本発明の第２の実施の形態の連接用ソケット付蛍光ランプ照明装置の模式的斜視図である。第２の実施の形態では、第１の実施の形態では連接用ソケット付蛍光ランプ照明装置１の口金１１と外部に設けられたソケットの受金とであった外部の電気エネルギー供給手段との接続固定手段が、シーリングローゼット６１とコード６２に変更された以外は第１の実施の形態と同じなので、同じ構成と機能については同じ符号を用いて説明を省略する。
【００１９】
第１の実施の形態では、連接用ソケット付蛍光ランプ照明装置１の口金１１が外部に設けられたソケットの受金と螺合して固定され、電気エネルギーが供給されていたが、第２の実施の形態では連接用ソケット付蛍光ランプ照明装置６に対して吊り下げ固定器具として広く用いられているシーリングローゼット６１とコード６２によって固定と電気エネルギー供給が行なわれる。シーリンローゼットの構成と機能は周知なので説明を省略する。
【００２０】
電球型蛍光ランプ４０は、第１の実施の形態と同様に連接用ソケット付蛍光ランプ照明装置６に直接取付けが可能であるが、第２の実施の形態の連接用ソケット付蛍光ランプ照明装置６は取付け部分が異なるので直接取り付けられない。第１の実施の形態の連接用ソケット付蛍光ランプ照明装置１が用意されれば第１の実施の形態と同様に直接連接して取付けが可能となる。
【００２１】
シーリングローゼット６１による固定は、一般的に口金１１と外部のソケットの受金による固定よりも強度的に優れている。
【図面の簡単な説明】
【００２２】
【図１】本発明の第１の実施の形態の連接用ソケット付蛍光ランプ照明装置の模式的斜視図である。
【図２】本発明の第１の実施の形態の連接用ソケット付蛍光ランプ照明装置の模式的断面図である。
【図３】図１の連接用ソケット付蛍光ランプ照明装置に電球型蛍光ランプを取り付けた状態の模式的斜視図である。
【図４】図１の連接用ソケット付蛍光ランプ照明装置にさらに連接用ソケット付蛍光ランプ照明装置を取り付けた状態の模式的斜視図である。
【図５】本発明の第１の実施の形態の応用例の連接用ソケット付蛍光ランプ照明装置の模式的斜視図である。
【図６】本発明の第２の実施の形態の連接用ソケット付蛍光ランプ照明装置の模式的斜視図である。
【符号の説明】
【００２３】
１、２、６    連接用ソケット付蛍光ランプ照明装置
１０    本体部
１１    口金
１２    ランプ点灯回路
１３    連接用ソケット
１４    受金
２０、２５    ランプ保持部
２１、２６    ランプ把持部
３０    環状蛍光ランプ
４０    電球型蛍光ランプ
５０    直管蛍光ランプ
６１    シーリングローゼット
６２    コード
【図１】
2007134074.tif 000003
【図２】
2007134074.tif 000004
【図３】
2007134074.tif 000005
【図４】
2007134074.tif 000006
【図５】
2007134074.tif 000007
【図６】
2007134074.tif 000008